(57)【要約】【課題】記憶装置ユニットを容易に着脱することができると共に、持ち運びが容易にできる記憶装置ユニットのロック機構およびデスクトップコンピュータを提供する。【解決手段】  コンピュータ１００は、ハードディスクドライブユニット２５と、筐体１０の内側に設けられたＨＤＤシャーシ４０とを有する。また、フロントパネル１１の内面にロック用ピン４４が設けられている。ハードディスクドライブユニット２５の筐体１０への装着時に、ロックレバー４２のハンドル部４２Ｂを持って、ブラケット本体４１をＨＤＤシャーシ４０に勘合させ、ハードディスクドライブユニット２５を降ろしてからロックレバー４２を倒して、ロック部４２Ａがピン４４に掛かることで、ハードディスクドライブユニット２５がロックされる。取り出す際に、ロックレバー４２のハンドル部４２Ｂを引き起こすことで、ロックが解除される。【選択図】        図８
2005322306.tif 000002
【特許請求の範囲】
【請求項１】
装置筐体内に着脱自在な記憶装置ユニットのロック機構であって、
上記記憶装置ユニットの上記装置筐体内への装着時に上記記憶装置ユニットを案内するレールと、
少なくとも１つの記憶装置が格納され、上記レールに沿って上記装置筐体内に装着されるブラケットと、
上記装置筐体の内壁に設けられたロック用ピンとを備え、
上記ブラケットに、コ字形に形成され、取っ手として利用可能なロックレバーが回動可能に設けられ、
上記ロックレバーは、上記ロック用ピンに掛止することで上記ブラケットの装置筐体内からの抜き出しを抑止するロック部を有する
ことを特徴とする記憶装置ユニットのロック機構。
【請求項２】
上記ロックレバーの両端は、それぞれ上記ブラケットの対向する両側面に回動可能に取り付けられる
ことを特徴とする請求項１に記載の記憶装置ユニットのロック機構。
【請求項３】
上記ロックレバーは水平方向に倒れた場合、上記ロック用ピンに掛かり、上記ブラケットがロックされ、
上記ロックレバーは引き起こされた場合、ロックが解除されると共に、上記ロックレバーが取っ手として利用可能である
ことを特徴とする請求項１に記載の記憶装置ユニットのロック機構。
【請求項４】
上記ロックレバーに凸部が設けられ、
上記ブラケットがロックされた状態では、上記筐体のサイドカバーが閉まると上記凸部は上記サイドカバーにより押されて、ロックの解除が不可能とされる
ことを特徴とする請求項１に記載の記憶装置ユニットのロック機構。
【請求項５】
筐体内に記憶装置ユニットが着脱可能に内蔵されるデスクトップコンピュータにおいて、
上記記憶装置ユニットの上記筐体内への装着時に上記記憶装置ユニットを案内するレールと、
少なくとも１つの記憶装置が格納され、上記レールに沿って上記装置筐体内に装着されるブラケットと、
上記筐体の内壁に設けられたロック用ピンとを備え、
上記ブラケットに、コ字形に形成され、取っ手として利用可能なロックレバーが回動可能に設けられ、
上記ロックレバーは、上記ロック用ピンに掛止することで上記ブラケットの筐体内からの抜き出しを抑止するロック部を有する
ことを特徴とするデスクトップコンピュータ。
【請求項６】
上記ロックレバーの両端は、それぞれ上記ブラケットの対向する両側面に回動可能に取り付けられる
ことを特徴とする請求項５に記載のデスクトップコンピュータ。
【請求項７】
上記ロックレバーは水平方向に倒れた場合、上記ロック用ピンに掛かり、上記ブラケットがロックされ、
上記ロックレバーは引き起こされた場合、ロックが解除されると共に、上記ロックレバーが取っ手として利用可能である
ことを特徴とする請求項５に記載のデスクトップコンピュータ。
【請求項８】
上記ロックレバーに凸部が設けられ、
上記ブラケットがロックされた状態では、上記筐体のサイドカバーが閉まると上記凸部は上記サイドカバーにより押されて、ロックの解除が不可能とされる
ことを特徴とする請求項５に記載のデスクトップコンピュータ。
【発明の詳細な説明】
【技術分野】
【０００１】
本発明は記憶装置ユニットのロック機構およびそれを用いたデスクトップコンピュータに関する。詳しくは、記憶装置ユニットの装置筐体内への装着時に記憶装置ユニットを案内するレールと、回動可能なロックレバーが設けられ、少なくとも１つの記憶装置が格納され、レールに沿って装置筐体内に装着されるブラケットと、装置筐体の内壁に設けられ、ロックレバーが掛止してブラケットの装置筐体内からの抜き出しを抑止するロックピンとを備え、記憶装置ユニットの筐体への装着時に、ロックレバーを持って、レールに勘合させ、記憶装置ユニットを降ろしてからロックレバーを倒して、記憶装置ユニットがロックされる。取り出す際に、ロックレバーを引き起こすことで、ロックを解除する構成とすることによって、記憶装置ユニットを容易に着脱することができると共に、持ち運びが容易にできるようにした記憶装置ユニットのロック機構等に係るものである。
【背景技術】
【０００２】
従来、ハードディスクドライブユニットを本体内に構成として持つパーソナルコンピュータなどの各種電子機器が知られている。この種の電子機器において、ハードディスクドライブはオプション扱いとなっているなどの理由で、後からハードディスクドライブを増設したり、取り外し、あるいは修理のためなどに交換する必要から、ハードディスクドライブを着脱可能とする構成が知られており、ハードディスクドライブの取り付けには主にネジが用いられていた。
【０００３】
ハードディスクドライブユニットの着脱作業では、ハードディスクドライブ固定用のネジを本体内に落としてしまったり、また他の部品を外さないとドライバーがうまく使えなかったりして、作業が煩雑であるという問題があった。
【０００４】
これを解決するために、容易に２次記憶装置を着脱できる簡単安価な構造を有する電子機器が提案されている（例えば、特許文献１参照）。
【０００５】
この場合、ハードディスクドライブ（ＨＤＤ）本体はケースに対し、防振材を挟んだ上でネジにより固定されている。なお、ケースの矩形の穴より信号ケーブルや電力ケーブル（図示せず）が外部に導出され、本体の所定の箇所に接続される。
【０００６】
ケースの底面には、凸部がカシメ固定される。ケースの側面角部には、レバーが取付け板及びネジにより固定されている。
【０００７】
ＨＤＤユニットの装置本体への組み込みにおいては、３つの凸部、レバーと、穴を係合させることにより本体内部にＨＤＤユニットを取り付ける。この場合、凸部のスリット部にシャーシが挟み込まれるようにＨＤＤユニットを鍵型にスライドさせると、穴の小円部に凸部の直径を有する部分が係合し、さらに、装置本体のシャーシ面方向に付勢されているレバーが穴に落込み、ＨＤＤユニットは本体にロックされる。
【０００８】
【特許文献１】特開２００３−３０６１８６号公報（第２，３頁、第１図）
【発明の開示】
【発明が解決しようとする課題】
【０００９】
上述したように、ハードディスクドライブの取り付けには主にネジを用いる場合、ハードディスクドライブユニットの着脱作業を行う際に、ハードディスクドライブ固定用のネジを本体内に落としてしまったり、また他の部品を外さないとドライバーがうまく使えなかったりして、作業が煩雑であるという問題があった。
【００１０】
また、特許文献１の場合、取り付けにはネジ止めなど面倒な作業を必要とせず、ネジの紛失などの問題を生じないが、装着時の位置合わせが困難である欠点があった。また、複数のハードディスクドライブを装着する場合、一つずつ装着し、ロックするため、操作が煩雑である。一方、複数のハードディスクドライブを一緒に装着する場合、ハードディスクドライブユニットが重くなり、着脱作業を行う際に持ち運びが困難であり、ハードディスクドライブユニットと装着案内レールとの衝撃による装着案内レールの勘合部の変形が発生するという問題があった。
【００１１】
そこで、この発明は、記憶装置ユニットを容易に着脱することができると共に、持ち運びが容易にできるようにした記憶装置ユニットのロック機構およびデスクトップコンピュータを提供することを目的とする。
【課題を解決するための手段】
【００１２】
この発明に係る記憶装置ユニットのロック機構は、装置筐体内に着脱自在な記憶装置ユニットのロック機構であって、記憶装置ユニットの装置筐体内への装着時に記憶装置ユニットを案内するレールと、少なくとも１つの記憶装置が格納され、レールに沿って装置筐体内に装着されるブラケットと、装置筐体の内壁に設けられたロック用ピンとを備え、ブラケットに、コ字形に形成され、取っ手として利用可能なロックレバーが回動可能に設けられ、このロックレバーは、ロック用ピンに掛止することで上記ブラケットの装置筐体内からの抜き出しを抑止するロック部を有するものである。
【００１３】
この発明に係るデスクトップコンピュータは、筐体内に記憶装置ユニットが着脱可能に内蔵されるデスクトップコンピュータにおいて、記憶装置ユニットの筐体内への装着時に記憶装置ユニットを案内するレールと、少なくとも１つの記憶装置が格納され、レールに沿って装置筐体内に装着されるブラケットと、筐体の内壁に設けられたロック用ピンとを備え、ブラケットに、コ字形に形成されたロックレバーが回動可能に設けられ、このロックレバーは、ロック用ピンに掛止することでブラケットの筐体内からの抜き出しを抑止するロック部を有するものである。
【００１４】
この発明においては、記憶装置ユニットのロック機構は、記憶装置ユニットの装置筐体内への装着時に記憶装置ユニットを案内するレールと、少なくとも１つの記憶装置が格納され、レールに沿って装置筐体内に装着されるブラケットと、装置筐体の内壁に設けられたロック用ピンとを備え、ブラケットには、コ字形に形成され、取っ手として利用可能なロックレバーが回動可能に設けられ、このロックレバーは、ロック用ピンに掛止することでブラケットの装置筐体内からの抜き出しを抑止するようになされる。
【００１５】
例えば、ロックレバーの両端は、それぞれブラケットの対向する両側面に回動可能に取り付けられる。また、ロックレバーは水平方向に倒れた場合、ロック用ピンに掛かり、ブラケットがロックされ、ロックレバーは引き起こされた場合、ロックが解除されると共に、ロックレバーが取っ手として利用可能である。また、ロックレバーに凸部が設けられ、ブラケットがロックされた状態では、サイドカバーが閉まると凸部はサイドカバーにより押されて、ロックの解除が不可能とされる。
【００１６】
これにより、複数の記憶装置ユニットを一緒に装着する際に、字形に形成されたロックレバーを持って、持ち運びが便利になり、記憶装置ユニットを容易に着脱することが可能となる。また、記憶装置ユニットと案内レールとの衝撃を抑制することができ、レール等の勘合部の変形を防止することが可能となる。
【００１７】
また、ロックレバーは水平方向に倒れるだけで、ブラケットを簡単にロックすることができ、さらにロックレバーに凸部が設けられ、ブラケットがロックされた状態でサイドカバーが閉まると凸部はサイドカバーにより押されていることで、ロックが外れることを阻止することが可能となる。
【発明の効果】
【００１８】
この発明に係る記憶装置ユニットのロック機構およびデスクトップコンピュータによれば、記憶装置ユニットの装置筐体内への装着時に記憶装置ユニットを案内するレールと、少なくとも１つの記憶装置が格納され、レールに沿って装置筐体内に装着されるブラケットと、装置筐体の内壁に設けられたロック用ピンとを備え、ブラケットには、コ字形に形成され、取っ手として利用可能なロックレバーが回動可能に設けられ、このロックレバーは、ロック用ピンに掛止することでブラケットの装置筐体内からの抜き出しを抑止するロック部を有するものであり、記憶装置ユニットを容易に着脱することができると共に、持ち運びが容易にできる。
【発明を実施するための最良の形態】
【００１９】
以下、図面を参照しながら、この発明の実施の形態の記憶装置ユニットのロック機構およびデスクトップコンピュータ（以下、コンピュータという。）について説明する。
【００２０】
図１は、本発明の実施の形態のコンピュータ１００の外形を示す図である。コンピュータ１００は、壁に外部空気を筐体１０の内部に導入するための複数の吸気孔が設けられる貫通部と、短辺と長辺を有するＬ形に形成され、筐体の側面の貫通部の底面以下の部分を覆うサイドカバーとを備えるデスクトップコンピュータである。
【００２１】
図１に示すように、コンピュータ１００の筐体１０において、側面パネル１２の所定位置に貫通部としてのエアインテーク１３が設けられている。このエアインテーク１３は、矩形断面を有し、側面および天面に外部空気を筐体１０の内部に導入するための複数の吸気孔１４Ａ，１４Ｂが設けられている。また、フロントパネル１１側から見た左側に、短辺と長辺を有するＬ形に形成され、筐体の側面のエアインテーク１３の底面以下の部分を覆うサイドカバー１２Ａが設けられている。このサイドカバー１２Ａの短辺側にオープンボタン４が設けられる。
【００２２】
図２は、本発明の実施の形態のコンピュータ１００の構成例を示す断面図である。図２中の矢印は、冷却用空気の流れを示している。
【００２３】
図２に示すように、コンピュータ１００は、エアインテーク１３と、プロセッサとしてのＣＰＵ２１を設けられたマザーボード２０と、ヒートシンク２２と、ヒートパイプ２３と、冷却ファン２４と、ハードディスクドライブユニット（ＨＤＤユニット）２５と、電源ユニット２６と、グラフィックボード２７と、オプティカルドライブ２８，２９と、フロッピー（登録商標）ドライブ３０と、シャーシ３１とから構成される。
【００２４】
筐体１０は、シャーシ３１により上下２つの空間（１０Ａ，１０Ｂ）に分割される。また、シャーシ３１の上にエアインテーク１３が設けられている。
【００２５】
また、シャーシ３１は、一端が筐体１０のフロントパネル１１に固定され、他端は筐体１０の裏面１５に固定される。このシャーシ３１のフロントパネル１１側に、上部空間１０Ａと下部空間１０Ｂを連結する貫通穴３１Ａが設けられている。
【００２６】
上部空間１０Ａには、ヒートシンク２２と、冷却ファン２４と、オプティカルドライブ２８，２９とが配置されている。ヒートシンク２２とエアインテーク１３との間に冷却ファン２４が配置されている。冷却ファン２４は、エアインテーク１３の側面１３Ａおよび天面１３Ｂに設けられた吸気孔１４Ａおよび１４Ｂから外部空気を吸入することができる。室温と同じ温度の空気が冷却ファン２４に直接に供給される。
【００２７】
また、ヒートシンク２２と冷却ファン２４を上部空間１０Ａに配置することで、筐体１０の横幅が最大まで使用し、ヒートシンク２２と冷却ファン２４がサイズの大きいものが採用される。特に、冷却ファン２４に大きいサイズ（例えば、１２０ｍｍ）のファンが用いられる、そのため、冷却ファン２４の騒音を低減することができる。
【００２８】
また、下部空間１０Ｂには、マザーボード２０と、ハードディスクドライブユニット２５と、電源ユニット２６と、グラフィックボード２７と、フロッピー（登録商標）ドライブ３０とが配置されている。なお、フロッピー（登録商標）ドライブ３０の位置に、他のハードディスクを増設してもよい。ＣＰＵ２１とヒートシンク２２は、ヒートパイプ２３により熱的に接続される。これにより、ＣＰＵ２１が発生した熱がヒートパイプ２３を介してヒートシンク２２に伝導される。また、ヒートシンク２２に運ばれた熱は冷却ファン２４で冷却するようになされる。この場合、廃熱空気は筐体１０の背面１５にある排気口から排出される。
【００２９】
図２に示すように、コンピュータ１００が動作する際に、冷却ファン２４によりエアインテーク１３の裏側の側面１３Ａおよび天面１３Ｂから冷却用空気を吸入する。また、電源ユニット２６に付属するファン２６Ｆにより、エアインテーク１３の前側の側面１３Ａから冷却用空気を吸入し、シャーシ３１に設けられた貫通孔３１Ａを通して下部空間１０Ｂに導入する。そして、筐体１０の背面１５にある排気口から排出される。これにより、下部空間１０Ｂに冷却用空気が容易に導入可能である。また、この冷却用空気により下部空間１０Ｂに配置されたハードディスクドライブユニット２５、電源ユニット２６、グラフィックボード２７等部品を冷却することができる。
【００３０】
図３は、ハードディスクドライブユニットの構成例を示す図である。図３に示すように、記憶装置ユニットとしてのハードディスクドライブユニット２５は、ハードディスクドライブ２５Ａと、ブラケット２５Ｂとから構成されている。この例の場合、ブラケット２５Ｂに記憶装置として３つのハードディスクドライブ２５Ａが装着されている。なお、ブラケット２５Ｂの上部より信号ケーブルや電力ケーブル（図示せず）が外部に導出され、マザーボード２０および電源ユニット２６の所定の箇所に接続される。
【００３１】
図４は、ブラケット２５Ｂの構成例を示す図である。図４（ａ）は、ブラケット２５Ｂの上から見た図である。図４（ｂ）は、ブラケット２５Ｂの側面図である。図４に示すように、ブラケット２５Ｂは、ブラケット本体４１と、ロックレバー４２とから構成されている。
【００３２】
ブラケット本体４１は、金属板を用いて板金加工により四角形に形成され、側面に冷却空気が通過するための複数の穴が設けられている。このブラケット本体４１は、例えば３つのハードディスクドライブを格納することが可能とされる。また、ブラケット本体４１には、装着時にＨＤＤシャーシの案内レールと勘合するレール４３Ａが設けられている。
【００３３】
ロックレバー４２は、金属板を用いて板金加工によりコ字形に形成され、両端がブラケット本体４１に回転可能に取り付けられている。図４に示すロックレバー４２の位置は、ロック状態の位置である。この場合、ロックレバー４２は、横に倒れて、ロック部４２Ａが筐体１０側に設けられているピン４４と勘合している。
【００３４】
図５は、ロックレバー４２の構成例を示す図である。図５（ａ）は、ロックレバー４２の正面図である。図５（ｂ）は、ロックレバー４２の側面図である。図５に示すように、ロックレバー４２は、ロック部４２Ａと、ハンドル部４２Ｂと、凸部４２Ｃとを有している。また、ロックレバー４２の両端にブラケット本体４１に取り付けるための軸穴が設けている。凸部４２Ｃは、ロックレバー４２が横に倒れてロック状態になった場合において、装着されるサイドカバー１２Ａにより押されているため、ロックが解除されることを阻止することが可能である。
【００３５】
図６は、ＨＤＤシャーシ４０の構成例を示す図である。図６（ａ）は、ＨＤＤシャーシ４０の側面図である。図６（ｂ）は、ＨＤＤシャーシ４０の上から見た図である。ＨＤＤシャーシ４０は、金属板を用いて板金加工により形成される。また、図６に示すように、ＨＤＤシャーシ４０の側面の内側には、装着時にブラケット２５Ｂを案内するレール４３Ｂが設けられている。また、底面には筐体１０に取り付け用ネジ穴が設けられている。
【００３６】
図７は、本体の取り付け部の構造を示す例である。図７に示すように、ＨＤＤシャーシ４０は、筐体１０のフロントパネル１１側に取り付けられ、また、フロントパネル１１の内側にピン４４が設けられている。ピン４４は、例えば直径６ｍｍの円柱形のものである。
【００３７】
図８は、ハードディスクドライブユニットの持ち運び状態を示す図である。図８に示すように、ハードディスクドライブユニット２５を筐体１０に装着する際、または筐体１０から取り出す際に、ロックレバー４２を図示のように引き起こして、ロックレバー４２のハンドル部４２Ｂを持って操作を行うことができる。
【００３８】
例えば、装着する場合、図８に示すようにロックレバー４２のハンドル部４２Ｂを持って、ブラケット本体４１のレール４３ＡをＨＤＤシャーシ４０のレール４３Ｂに勘合させ、ハードディスクドライブユニット２５を降ろしてからロックレバー４２を倒して、ロック部４２Ａがピン４４に掛かることで、ハードディスクドライブユニット２５がロックされる。この場合、ロックレバー４２を持つことで、レール４３Ｂに挿入しやすい。また、ロックレバー４２が横に倒れてロック状態になった場合において、ロックレバー４２の凸部４２Ｃは、装着されるサイドカバー１２Ａにより押されているため、ロックが解除されることを阻止することが可能である。
【００３９】
また例えば、取り出す際に、ロックレバー４２のハンドル部４２Ｂを引き起こすことで、ロックを解除する。そして、図８に示すようにロックレバー４２のハンドル部４２Ｂを持って上方へ引き出すことで、ハードディスクドライブユニット２５が筐体１０から取り出される。
【００４０】
このように本実施の形態においては、コンピュータ１００は、ハードディスクドライブユニット２５の筐体１０への装着時にハードディスクドライブユニット２５を案内するレール４３Ｂを有するＨＤＤシャーシ４０と、取っ手として利用可能なロックレバー４２が回動可能に設けられるブラケット２５Ｂと、筐体１０の内壁に設けられ、ロックレバー４２が掛止してブラケット２５Ｂの筐体１０内からの抜き出しを抑止するピン４４とを備える。ロックレバー４２の両端は、それぞれブラケット２５Ｂの対向する両側面に回動可能に取り付けられる。ロックレバー４２は水平方向に倒れた場合、ロック用ピン４４に掛かり、ブラケット２５Ｂがロックされ、ロックレバー４２は引き起こされた場合、ロックが解除されると共に、ロックレバー４２が取っ手として利用可能とされる。
【００４１】
これにより、ハードディスクドライブユニット２５を容易に着脱することができる。かつ持ち運びが便利である。特に、複数のハードディスクドライブ２５Ａが有する場合、重さのあるハードディスクドライブユニット２５を搬送しやすく、案内レールとの衝撃を抑制することができ、レール等の勘合部の変形を防止することができる。また、ＨＤＤシャーシ４０に組み込むときに重さを感じにくい利点がある。
【００４２】
また、ロックレバー４２に凸部４２Ｃが設けられ、ブラケット２５Ｂがロックされた状態では、サイドカバー１２Ａが閉まると該凸部４２Ｃはサイドカバー１２Ａにより押されているため、運送中にロックが解除されることを防止できる。
【００４３】
また、ネジ止めなどの面倒な作業を必要とせず、極めて容易にハードディスクドライブユニット２５を着脱でき、ネジの紛失などの問題を生じない。
【００４４】
なお、上述実施の形態においては、コンピュータ１００は、エアインテーク１３が設けられたものについて説明したが、これに限定されるものではない。他のタイプのデスクトップコンピュータにもこの発明を適用できる。
【００４５】
また、上述実施の形態においては、ハードディスクドライブユニット２５について説明したが、これに限定されるものではない。他の記憶装置ユニットにもこの発明を適用できる。
【産業上の利用可能性】
【００４６】
以上のように、この発明に係る記憶装置ユニットのロック機構およびデスクトップコンピュータは、ハードディスクドライブユニットの着脱作業を容易にする目的に適用できる。
【図面の簡単な説明】
【００４７】
【図１】実施の形態のコンピュータ１００の外形を示す図である。
【図２】コンピュータ１００の構成例を示す断面図である。
【図３】ハードディスクドライブユニットの構成例を示す図である。
【図４】ブラケットの構成例を示す図である。
【図５】ロックレバーの構成例を示す図である。
【図６】ＨＤＤシャーシの構成例を示す図である。
【図７】本体の取り付け部の構造を示す図である。
【図８】ハードディスクドライブユニットの持ち運び状態を示す図である。
【符号の説明】
【００４８】
１０・・・筐体、１１・・・フロントパネル、１２・・・側面パネル、１２Ａ・・・サイドカバー、１３・・・エアインテーク、１３Ａ・・・側面、１３Ｂ・・・天面、１４Ａ，１４Ｂ・・・吸気孔、１５・・・背面パネル、２０・・・マザーボード、２１・・・ＣＰＵ、２２・・・ヒートシンク、２３・・・ヒートパイプ、２４・・・冷却ファン、２５・・・ハードディスクドライブユニット、２５Ａ・・・ハードディスクドライブ、２５Ｂ・・・ブラケット、２６・・・電源ユニット、２７・・・グラフィックボード、２８，２９・・・オプティカルドライブ、３０・・・フロッピー（登録商標）ドライブ、３１・・・シャーシ、３１Ａ・・・貫通穴、４０・・・ＨＤＤシャーシ、４１・・・ブラケット本体、４２・・・ロックレバー、４２Ａ・・・ロック部、４３Ａ，４３Ｂ・・・レール、４４・・・ピン、１００・・・コンピュータ
【図１】
2005322306.tif 000003
【図２】
2005322306.tif 000004
【図３】
2005322306.tif 000005
【図４】
2005322306.tif 000006
【図５】
2005322306.tif 000007
【図６】
2005322306.tif 000008
【図７】
2005322306.tif 000009
【図８】
2005322306.tif 000010